(57)【要約】【課題】  最近の携帯電話、携帯型音楽プレーヤーには各種の情報が詰まっていることが多い。  携帯電話、携帯型音楽プレーヤーの地面への落下に起因する紛失や故障により個人の持つ情報が流出、消失することがある。このことから、携帯電話、携帯型音楽プレーヤーの地面への落下を阻止する必要に迫られている。  安価な携帯ストラップを使用しても、ポケットから地面への携帯電話、携帯型音楽プレイヤーの落下を阻止できるという汎用性に優れ、かつ、低コストで確実性、利便性の高いポケットを提供する。【解決手段】  ポケット内側にハンガーループを縫着し、ポケット内側の服地にボタンを縫着する。  ハンガーループに携帯ストラップの環を通した上で、そのハンガーループをボタンに掛止することにより、携帯電話、携帯型音楽プレーヤーの地面への落下を阻止できることを特徴とするポケットを提供する。【選択図】      図３
2006348445.tif 000002
【特許請求の範囲】
【請求項１】
ポケット内側に縫着したハンガーループに携帯ストラップの環を通し、そのハンガーループをポケット内側服地に縫着したボタンに掛止することで、ポケットから地面への携帯電話、携帯型音楽プレーヤーの落下を阻止できることを特徴とするハンガーループとボタンを備えたポケット
【発明の詳細な説明】
【技術分野】
【０００１】本発明は、ポケット内側にハンガーループとボタンを備えるポケットに係り、特に、ポケットから携帯電話、携帯型音楽プレイヤーの地面への落下を阻止するためのポケットに関するものである。
【背景技術】
【０００２】日常生活で使用する携帯電話、携帯型音楽プレイヤーは、ポケットに収納することが多い。これらの物品をシャツの胸ポケットに収納している場合、前屈姿勢をとったり、激しく動いたり、強い衝撃を受けたりしたとき、これらの物品が胸ポケットから飛び出して脱落し、これらの物品が紛失したり破損したりすることがある。このことは、個人の持つ情報の流出、消失に直結する恐れがある。従来、ポケットから地面への物品の落下防止技術は、落下防止機能を備えた道具を使う場合、ポケットが重くなったり、見苦しく膨らんだり、ポケットに入れられる物が少なくなったり、という欠点があった。また、ポケットに改良を加える場合には、ポケット上部口にファスナー、フラップ、マジックテープ（登録商標）等を取り付ける方法により行われるが、コストが高くなったり、工程が増えたりし、それでいて、これらの物品の出し入れが不便である、という欠点があった。
【発明の開示】
【発明が解決しようとする課題】
【０００３】最近の携帯電話には各種の個人情報が詰まっていることが多い。携帯電話の地面への落下に起因する携帯電話の紛失により個人情報が流出する恐れがある。個人情報の保護が叫ばれている昨今、携帯電話の地面への落下を阻止する必要に迫られている。また、携帯型音楽プレイヤーには、お気に入りの音楽情報が詰まっていることが多い。携帯型音楽プレイヤーの地面への落下に起因する携帯型音楽プレイヤーのハードディスク破損により音楽情報が消失する恐れがある。長い月日とコストを費やして蓄積した音楽情報が一瞬のうちに無になってしまう今日、携帯型音楽プレイヤーの地面への落下を阻止する必要に迫られている。本発明は、従来の技術が有する欠点を解消しつつ、外観を損なうことなく、低コストで、落下阻止の確実さや取り外しの利便さに優れ、それでいて、安価な携帯ストラップを使ってもこれらの物品の落下阻止を可能にするポケットを提供することを目的としている。
【課題を解決するための手段】
【０００４】上記課題を解決するために、本発明の構成を説明すると、ポケット内側にハンガーループを縫着し、服地にボタンを縫着する。ハンガーループに携帯ストラップの環を通した上で、そのループをボタンに掛止することにより、ポケットから地面への携帯電話、携帯型音楽プレイヤーの落下阻止を可能にする。
【発明の効果】
【０００５】本発明によれば、ポケットに入れた携帯電話、携帯型音楽プレイヤーが仮にポケットから脱落しても、地面への落下を阻止でき、落下に起因する紛失による個人情報の流出、音楽情報の消失を防止できる。夏場の軽装（ズボンとワイシャツ姿）の時に、外観を損なうことなく便利である。低コストで、落下阻止の確実さや取り外しの利便さに優れるという効果を有する。特に、安価な携帯ストラップを使用しても、携帯電話、携帯型音楽プレイヤーの地面への落下を阻止できるという汎用性にも優れ有効である。
【発明を実施するための最良の形態】
【０００６】次に、本発明の実施形態は胸ポケットを例に示し、図面に基づいて説明する。本発明に係るポケットは、ポケット１０の内側に図１ないしは図６のハンガーループ３０とボタン４０を備えている。ハンガーループとボタンを掛止しやすい位置はどの位置かを試行した上で、図１ないしは図６に示すように、胸ポケット１０に向かって胸ポケット１０内右側にハンガーループ３０を縫着し、服地２０にボタン４０を縫着してある。【０００７】ポケット内側のハンガーループは、使用しない時に邪魔にならないよう、図２に示すハンガーループ３０のように折り曲げてあり、服地２０に縫着するボタン４０は薄手のものが使ってある。【０００８】また、本発明に係るポケットは、ループ３０とボタン４０の掛止を外した状態を図示すると図４のようになる。【０００９】ボタン４０を服地２０へ縫着し、縫糸６０で胸ポケット１０を服地２０へ縫合する際、図５に示すように、ハンガーループ３０を胸ポケット１０と服地２０との間に挿入して縫合する方法により、本発明ポケット内側にハンガーループとボタンを備えるポケットが完成される。また、ハンガーループ３０を縫着した胸ポケット１０を、さらにボタン４０を縫着した服地２０へ縫糸６０で縫合する方法でも、ハンガーループ３０とボタン４０を服地２０に縫着した上でハンガーループ３０とボタン４０を覆うように胸ポケット１０を縫糸６０で縫合する方法でも、ハンガーループ３０を縫糸４０で胸ポケット１０と服地２０の間に挿入して縫合した上で最後にボタン４０を服地２０へ縫着する方法でも、本発明ポケット内側にハンガーループとボタンを備えるポケットが完成される。【００１０】胸ポケット１０に入れた携帯電話、携帯型音楽プレイヤーが仮に胸ポケット１０から脱落しても、ハンガーループ３０に携帯ストラップ８０の環が通してあり、そのループ３０がボタン４０に掛止されているので、図６に示すように携帯電話、携帯型音楽プレイヤーの地面への落下を阻止できる。【００１１】以上本発明の好ましい実施形態について説明したが、本発明は上述の特定の実施形態に限定されるものではなく、種々の変形、変更が可能である。
【実施例】
【００１２】本発明の実施形態では、ハンガーループ３０とボタン４０は、胸ポケット１０内の右側に縫着しているが、ポケット１０内の右側でも左側でも任意にであり、ポケット１０内側の上部でも下部でも任意である。ポケット１０内側の上部に縫着する場合には、ハンガーループ３０とポケット１０の縫着強度が必要であり、ポケット１０内側の下部に縫着する場合には、ハンガーループ３０に携帯ストラップ８０の環を通しにくい面があるので、ハンガーループ３０とボタン４０を縫着する位置は、ポケット１０内の右側か左側が好ましい。【００１３】ポケット内側ハンガーループ３０を構成する素材は、綿、麻、絹、毛および化学繊維であり、服地２０及びポケット１０と同一の素材でよいが、厚手の素材であることが好ましい。また、ポケット内側ハンガーループ３０の色は、ポケット１０と同一色が好ましい。ハンガーループ３０を掛止するボタン４０は小型で薄手のものが好ましい。
【産業上の利用可能性】
【００１４】本発明は、ポケットを有する衣服のあらゆるポケットに、ポケットから携帯電話、携帯型音楽プレイヤーの地面への落下を防止する機能を付与することが可能である。
【図面の簡単な説明】
【図１】本発明の実施形態を示す平面図である。
【図２】図１の胸ポケット右上部分を解き開いた平面図である。
【図３】本発明の実施形態を示す斜視図である。
【図４】本発明を示すハンガーループとボタンの掛止を外した状態の斜視図である。
【図５】本発明の実施形態を示す分解斜視図である。
【図６】本発明の一態様を示す図である。
【符号の説明】
１０  胸ポケット
２０  服地（胸ポケットの周辺だけを図示）
３０  ハンガーループ
４０  ボタン
５０  胸ポケット上側の折曲部分の縫糸
６０  胸ポケットと服地との縫合糸
７０  胸ポケットの内側折曲部分の生地
８０  携帯ストラップ
【図１】
2006348445.tif 000003
【図２】
2006348445.tif 000004
【図３】
2006348445.tif 000005
【図４】
2006348445.tif 000006
【図５】
2006348445.tif 000007
【図６】
2006348445.tif 000008